(57)【要約】【課題】  色再現範囲の縮小を抑制しながら、他の色成分光と比べて光量が小さい色成分光の光量を増大することを可能とする投写型映像表示装置を提供する。【解決手段】  投写型映像表示装置は、光源１０Ｒ、光源１０Ｂ、励起光源１０Ｘ、偏光調整素子６０、液晶パネル７１Ｇ、液晶パネル７１ＲＢを有する。緑成分光Ｇが有する帯域幅は、赤成分光Ｒが有する帯域幅或いは青成分光Ｂが有する帯域幅よりも広い。偏光調整素子６０は、緑成分光Ｇのうち、中心成分光の波長帯よりも外側の波長帯を有する周辺成分光の偏光を調整する。偏光調整素子６０は、  液晶パネル７１Ｇに到達する周辺成分光の量を調整する。【選択図】  図１
2013076870.tif 000002
【特許請求の範囲】
【請求項１】
第１色成分光、第２色成分光及び第３色成分光を出射する光源ユニットと、
前記第１色成分光の光路上に設けられており、第１信号値に基づいて、前記第１色成分光を変調する第１光変調素子と、
前記第２色成分光及び前記第３色成分光を含む合成光の光路上に設けており、第２信号値に基づいて、前記第２色成分光を変調するとともに、第３信号値に基づいて、前記第３色成分光を変調する第２光変調素子と、
前記第１色成分光の光路上において、前記光源ユニットと前記第１光変調素子との間に設けられた偏光調整素子とを備え、
前記第１色成分光が有する帯域幅は、前記第２色成分光が有する帯域幅或いは前記第３色成分光が有する帯域幅よりも広く、
前記偏光調整素子は、前記第１色成分光のうち、中心成分光の波長帯よりも外側の波長帯を有する周辺成分光の偏光を調整し、
前記偏光調整素子は、  前記第１光変調素子に到達する前記周辺成分光の量を調整することを特徴とする投写型映像表示装置。
【請求項２】
前記第１色成分光は、緑成分光Ｇであり、
前記第２色成分光及び前記第３色成分光は、赤成分光Ｒ及び青成分光Ｂであることを特徴とする請求項１に記載の投写型映像表示装置。
【請求項３】
前記光源ユニットは、励起光を出射する励起光源と、前記励起光に応じて前記第１色成分光を出射する発光体とを有することを特徴とする請求項１に記載の投写型映像表示装置。
【請求項４】
前記第１光変調素子から出射される前記第１色成分光の光量、前記第２光変調素子から出射される前記第２色成分光の光量及び前記第２光変調素子から出射される前記第３色成分光の光量を制御する光量制御部をさらに備え、
前記光量制御部は、サブフレームの切替えにおいて、  前記第２光変調素子から光が出射されない期間を設けることを特徴とする請求項１に記載の投写型映像表示装置。
【請求項５】
前記光量制御部は、前記第１信号値、前記第２信号値及び前記第３信号値に応じて、前記第１光変調素子から出射される前記第１色成分光の光量を増大することを特徴とする請求項４に記載の投写型映像表示装置。
【請求項６】
前記光量制御部は、前記第１信号値、前記第２信号値及び前記第３信号値に応じて、前記第２光変調素子から出射される前記第２色成分光及び／又は前記第３色成分光の光量を増大することを特徴とする請求項４に記載の投写型映像表示装置。
【発明の詳細な説明】
【技術分野】
【０００１】
本発明は、第１色成分光、第２色成分光及び第３色成分光を出射する光源ユニットを備える投写型映像表示装置に関する。
【背景技術】
【０００２】
従来、３つの色成分光（赤成分光Ｒ、緑成分光Ｇ及び青成分光Ｂ）をそれぞれ変調する３つの光変調素子とを有する投写型映像表示装置が知られている。
【０００３】
一方で、コスト削減を目的として、２つの光変調素子を有する投写型映像表示装置も提案されている。具体的には、２つの光変調素子から出射される光は合成された上で投写レンズユニットから出射される（例えば、特許文献１）。
【先行技術文献】
【特許文献】
【０００４】
【特許文献１】特開平１１−１８４３９８号公報
【発明の概要】
【発明が解決しようとする課題】
【０００５】
ところで、３つの色成分光のうち、特定の色成分光（例えば、緑成分光Ｇ）が他の色成分光（例えば、赤成分光Ｒ及び青成分光Ｂ）に対して不足するケースが存在する。これに対して、特定の色成分光を発光する発光体を利用することによって、特定の色成分光の光量を増大する技術が知られている。
【０００６】
しかしながら、発光体から発光される光の帯域は一般的に広いため、発光体を利用すると、色再現範囲が縮小してしまう。
【０００７】
そこで、本発明は、上述した課題を解決するためになされたものであり、色再現範囲の縮小を抑制しながら、他の色成分光と比べて光量が小さい色成分光の光量を増大することを可能とする投写型映像表示装置を提供することを目的とする。
【課題を解決するための手段】
【０００８】
第１の特徴に係る投写型映像表示装置は、第１色成分光（例えば、緑成分光Ｇ）、第２色成分光（例えば、赤成分光Ｒ）及び第３色成分光（例えば、青成分光Ｂ）を出射する光源ユニット（例えば、光源１０Ｒ、光源１０Ｂ、励起光源１０Ｘ、カラーホイール３０など）と、前記第１色成分光の光路上に設けられており、第１信号値に基づいて、前記第１色成分光を変調する第１光変調素子（液晶パネル７１Ｇ）と、前記第２色成分光及び前記第３色成分光を含む合成光の光路上に設けており、第２信号値に基づいて、前記第２色成分光を変調するとともに、第３信号値に基づいて、前記第３色成分光を変調する第２光変調素子（液晶パネル７１ＲＢ）と、前記第１色成分光の光路上において、前記光源ユニットと前記第１光変調素子との間に設けられた偏光調整素子（偏光調整素子６０）とを備える。前記第１色成分光が有する帯域幅は、前記第２色成分光が有する帯域幅或いは前記第３色成分光が有する帯域幅よりも広い。前記偏光調整素子は、前記第１色成分光のうち、中心成分光の波長帯よりも外側の波長帯を有する周辺成分光の偏光を調整する。前記偏光調整素子は、  前記第１光変調素子に到達する前記周辺成分光の量を調整する。
【０００９】
第１の特徴において、前記第１色成分光は、緑成分光Ｇであり、前記第２色成分光及び前記第３色成分光は、赤成分光Ｒ及び青成分光Ｂである。
【００１０】
第１の特徴において、前記光源ユニットは、励起光を出射する励起光源（励起光源１０Ｘ）と、前記励起光に応じて前記第１色成分光を出射する発光体（発光体Ｇ）とを有する。
【００１１】
第１の特徴において、投写型映像表示装置は、前記第１光変調素子から出射される前記第１色成分光の光量、前記第２光変調素子から出射される前記第２色成分光の光量及び前記第２光変調素子から出射される前記第３色成分光の光量を制御する光量制御部（制御部２２０）をさらに備える。前記光量制御部は、サブフレームの切替えにおいて、  前記第２光変調素子から光が出射されない期間を設ける。
【００１２】
第１の特徴において、前記光量制御部は、前記第１信号値、前記第２信号値及び前記第３信号値に応じて、前記第１光変調素子から出射される前記第１色成分光の光量を増大する。
【００１３】
第１の特徴において、前記光量制御部は、前記第１信号値、前記第２信号値及び前記第３信号値に応じて、前記第２光変調素子から出射される前記第２色成分光及び／又は前記第３色成分光の光量を増大する。
【発明の効果】
【００１４】
本発明によれば、色再現範囲の縮小を抑制しながら、他の色成分光と比べて光量が小さい色成分光の光量を増大することを可能とする投写型映像表示装置を提供することができる。
【図面の簡単な説明】
【００１５】
【図１】図１は、第１実施形態に係る投写型映像表示装置１００を示す図である。
【図２】図２は、第１実施形態に係るカラーホイール３０を説明するための図である。
【図３】図３は、第１実施形態に係る偏光調整素子６０を説明するための図である。
【図４】図４は、第１実施形態に係る各色成分光の波長帯を示す図である。
【図５】図５は、第１実施形態に係る制御ユニット２００を示すブロック図である。
【図６】図６は、第１実施形態に係る色再現範囲を説明するための図である。
【図７】図７は、変更例１に係る制御例１を示す図である。
【図８】図８は、変更例１に係る制御例２を示す図である。
【図９】図９は、変更例１に係る制御例３を示す図である。
【図１０】図１０は、変更例２に係る通常制御例を説明するための図である。
【図１１】図１１は、変更例２に係る通常制御例を説明するための図である。
【図１２】図１２は、変更例２に係る通常制御例を説明するための図である。
【図１３】図１３は、変更例２に係る高輝度制御例１を説明するための図である。
【図１４】図１４は、変更例２に係る高輝度制御例１を説明するための図である。
【図１５】図１５は、変更例２に係る高輝度制御例１を説明するための図である。
【図１６】図１６は、変更例２に係る高輝度制御例１の色再現範囲を説明するための図である。
【図１７】図１７は、変更例２に係る高輝度制御例２を説明するための図である。
【図１８】図１８は、変更例２に係る高輝度制御例２を説明するための図である。
【図１９】図１９は、変更例２に係る高輝度制御例２を説明するための図である。
【図２０】図２０は、変更例２に係る高輝度制御例２の色再現範囲を説明するための図である。
【図２１】図２１は、変更例３に係るγカーブの補正を説明するための図である。
【図２２】図２２は、変更例４に係る投写型映像表示装置１００を示す図である。
【発明を実施するための形態】
【００１６】
以下において、本発明の実施形態に係る投写型映像表示装置について、図面を参照しながら説明する。なお、以下の図面の記載において、同一又は類似の部分には、同一又は類似の符号を付している。
【００１７】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１８】
［実施形態の概要］
実施形態に係る投写型映像表示装置は、第１色成分光、第２色成分光及び第３色成分光を出射する光源ユニットと、前記第１色成分光の光路上に設けられており、第１信号値に基づいて、前記第１色成分光を変調する第１光変調素子と、前記第２色成分光及び前記第３色成分光を含む合成光の光路上に設けており、第２信号値に基づいて、前記第２色成分光を変調するとともに、第３信号値に基づいて、前記第３色成分光を変調する第２光変調素子と、前記第１色成分光の光路上において、前記光源ユニットと前記第１光変調素子との間に設けられた偏光調整素子とを備える。前記第１色成分光が有する帯域幅は、前記第２色成分光が有する帯域幅或いは前記第３色成分光が有する帯域幅よりも広い。前記偏光調整素子は、前記第１色成分光のうち、中心成分光の波長帯よりも外側の波長帯を有する周辺成分光の偏光を調整する。前記偏光調整素子は、  前記第１光変調素子に到達する前記周辺成分光の量を調整する。
【００１９】
実施形態では、偏光調整素子は、  第１光変調素子に到達する周辺成分光の量を調整する。言い換えると、周辺成分光を第１光変調素子に到達させることによって、色再現範囲が縮小するが、映像の輝度を向上することができる。一方で、周辺成分光を第１光変調素子に到達させないことによって、映像の輝度が低下するが、色再現範囲が拡大する。
【００２０】
このように、第１光変調素子に到達する周辺成分光の光量調整によって、映像の輝度を優先するモードと色再現範囲を優先するモードとを使い分けることができる。これによって、色再現範囲の縮小を抑制しながら、他の色成分光と比べて光量が小さい色成分光の光量を増大することができる。
【００２１】
［第１実施形態］
（投写型映像表示装置の構成）
以下において、第１実施形態に係る投写型映像表示装置の構成について、図面を参照しながら説明する。図１は、第１実施形態に係る投写型映像表示装置１００の構成を示す図である。
【００２２】
図１に示すように、投写型映像表示装置１００は、光源１０と、ミラー２０（ミラー２０Ｇ、ミラー２０ＲＢ）と、カラーホイール３０と、フライアイレンズ４０と、ＰＢＳアレイ５０と、偏光調整素子６０とを有する。投写型映像表示装置１００は、１対の液晶パネル７１（液晶パネル７１Ｇ、液晶パネル７１ＲＢ）と、１対の入射側偏光板７２（入射側偏光板７２Ｇ、入射側偏光板７２ＲＢ）と、１対の出射側偏光板７３（出射側偏光板７３Ｇ、出射側偏光板７３ＲＢ）とを有する。投写型映像表示装置１００は、合成部８０と、投写レンズユニット９０とを有する。なお、投写型映像表示装置１００は、必要なレンズ群（レンズ１１１、レンズ１１２、レンズ１１３、レンズ１１４）を有する。
【００２３】
光源１０は、例えば、ＬＤ（Ｌａｓｅｒ  Ｄｉｏｄｅ）やＬＥＤ（Ｌｉｇｈｔ  Ｅｍｉｔｔｉｎｇ  Ｄｉｏｄｅ）などの固体光源である。第１実施形態では、光源１０として、光源１０Ｂ、光源１０Ｒ、励起光源１０Ｘが設けられる。
【００２４】
光源１０Ｂは、青成分光Ｂを出射する固体光源（ここでは、ＬＥＤ）である。光源１０Ｒは、赤成分光Ｒを出射する固体光源（ここでは、ＬＥＤ）である。
【００２５】
励起光源１０Ｘは、励起光を出射する固体光源（ここでは、ＬＤ）である。第１実施形態では、励起光源１０Ｘは、励起光として青成分光Ｂを出射する。励起光源１０Ｘから出射される青成分光Ｂは、緑成分光Ｇの励起光として用いられる。
【００２６】
なお、第１実施形態では、複数の励起光源１０Ｘが設けられており、複数の励起光源１０Ｘから出射される励起光は、複数のミラー１２Ｘで反射されて、カラーホイール３０に導かれる。なお、励起光源１０Ｘから励起光が出射される方向において、複数のミラー１２Ｘは、少しずつシフトして配置される。これによって、カラーホイール３０側から見て、複数のミラー１２Ｘで反射される励起光の密度が高まる。
【００２７】
なお、第１実施形態において、緑成分光Ｇは、第１色成分光の一例であり、赤成分光Ｒは、第２色成分光の一例であり、青成分光Ｂは、第３色成分光の一例である。
【００２８】
ミラー２０Ｇは、励起光を透過して、緑成分光Ｇを反射するダイクロイックミラーである。ミラー２０ＲＢは、青成分光Ｂを反射して、赤成分光Ｒを透過するダイクロイックミラーである。
【００２９】
カラーホイール３０は、励起光（青成分光Ｂ）の光軸に沿って延びる回転軸Ｘを中心として回転するように構成される。カラーホイール３０は、励起光（青成分光Ｂ）の光路上に設けられる。カラーホイール３０は、緑成分光Ｇを反射する反射型カラーホイールである。
【００３０】
詳細には、カラーホイール３０は、図２に示すように、回転面３１と、緑領域３２Ｇとを有する。回転面３１は、反射膜によって構成される。緑領域３２Ｇは、光源１０から出射される励起光（青成分光Ｂ）に応じて緑成分光Ｇを発光する発光体Ｇを有する。発光体Ｇは、蛍光体或いは燐光体である。
【００３１】
第１実施形態では、発光体Ｇから発光される緑成分光Ｇが有する帯域幅は、光源１０Ｒから出射される赤成分光Ｒが有する帯域幅或いは光源１０Ｂから出射される青成分光Ｂが有する帯域幅よりも広いことに留意すべきである。
【００３２】
フライアイレンズ４０は、光源１０が出射する光を均質化する素子である。詳細には、フライアイレンズ４０は、複数の微小レンズを有しており、各レンズから出射される光は、液晶パネル７１に照射される。ここでは、フライアイレンズ４０として、緑成分光Ｇを均一化するフライアイレンズ４０Ｇ及び赤成分光Ｒ及び青成分光Ｂを均一化するフライアイレンズ４０ＲＢが設けられる。
【００３３】
ＰＢＳアレイ５０は、光源１０が出射する光の偏光方向を揃える素子（Ｐｏｌａｒｉｚｅｄ  Ｂｅａｍ  Ｓｐｌｉｔｔｅｒ）である。例えば、ＰＢＳアレイ５０は、光源１０が出射する光の偏光方向をＹ軸方向（或いは、Ｚ軸方向）に揃える。ここでは、ＰＢＳアレイ５０として、緑成分光Ｇの偏光方向を揃えるＰＢＳアレイ５０Ｇ及び赤成分光Ｒ及び青成分光Ｂの偏光方向を揃えるＰＢＳアレイ５０ＲＢが設けられる。
【００３４】
偏光調整素子６０は、第１色成分光（緑成分光Ｇ）の光路上に設けられる。具体的には、偏光調整素子６０は、偏光調整素子６０に入射する光の偏光を波長帯毎に制御する。
【００３５】
詳細には、偏光調整素子６０は、第１色成分光（緑成分光Ｇ）のうち、中心成分光の波長帯よりも外側の波長帯を有する周辺成分光の偏光を調整する。これによって、偏光調整素子６０は、第１光変調素子（液晶パネル７１Ｇ）  に到達する周辺成分光の量を調整する。
【００３６】
例えば、偏光調整素子６０は、図２示すように、偏光調整素子６０に印加される電圧に応じて、偏光調整素子６０に入射する光の偏光を波長帯毎に制御する。偏光調整素子６０は、偏光調整素子６０に電圧が印加されている場合には、中心偏光成分を第１偏光成分に維持したまま、周辺成分光を第２偏光成分に調整する。従って、中心成分光は、入射側偏光板７２を透過して液晶パネル７１に導かれるが、周辺成分光は、入射側偏光板７２で遮光されて液晶パネル７１に導かれない。一方で、偏光調整素子６０に電圧が印加されている場合には、偏光調整素子６０は、中心偏光成分及び周辺成分光を第１偏光成分に維持する。従って、中心成分光及び周辺成分光は、入射側偏光板７２を透過して液晶パネル７１に導かれる。
【００３７】
液晶パネル７１Ｇは、緑入力信号Ｇｉｎ（緑出力信号Ｇｏｕｔ）に基づいて緑成分光Ｇを変調する。液晶パネル７１Ｇの光入射側には、第１偏光成分を有する光透過して、第２偏光成分を有する光を遮光する入射側偏光板７２Ｇが設けられる。一方で、液晶パネル７１Ｇの光出射側には、第１偏光成分を有する透過して、第２偏光成分を有する光を遮光する出射側偏光板７３Ｇが設けられる。
【００３８】
なお、第１実施形態において、液晶パネル７１Ｇは、第１色成分光（ここでは、緑成分光Ｇ）の光路上に設けられており、第１信号値（ここでは、緑入力信号Ｇｉｎ）に基づいて、第１色成分光（ここでは、緑成分光Ｇ）を変調する第１光変調素子の一例である。
【００３９】
液晶パネル７１ＲＢは、赤入力信号Ｒｉｎ（赤出力信号Ｒｏｕｔ）に基づいて赤成分光Ｒを変調し、青入力信号Ｂｉｎ（青出力信号Ｂｏｕｔ）に基づいて青成分光Ｂを変調する。液晶パネル７１ＲＢの光入射側には、第１偏光成分を有する光を透過して、第２偏光成分を有する光を遮光する入射側偏光板７２ＲＢが設けられる。一方で、液晶パネル７１ＲＢの光出射側には、第１偏光成分を有する光を透過して、第２偏光成分を有する光を遮光する出射側偏光板７３ＲＢが設けられる。
【００４０】
ここで、液晶パネル７１ＲＢは、赤成分光Ｒ及び青成分光Ｂを時分割で変調する。例えば、１つのフレームが２つのサブフレームによって構成される場合には、液晶パネル７１ＲＢは、一方のサブフレームにおいて赤成分光Ｒを変調し、他方のサブフレームにおいて青成分光Ｂを変調する。但し、液晶パネル７１ＲＢは、同一のサブフレームにおいて、赤成分光Ｒ及び青成分光Ｂを変調してもよい。
【００４１】
なお、第１実施形態において、液晶パネル７１ＲＢは、第２色成分光（ここでは、赤成分光Ｒ）及び第３色成分光（ここでは、青成分光Ｂ）を含む合成光の光路上に設けられており、第２信号値（ここでは、赤入力信号Ｒｉｎ）に基づいて、第２色成分光（ここでは、赤成分光Ｒ）を変調するとともに、第３信号値（ここでは、青入力信号Ｂｉｎ）に基づいて、第３色成分光（ここでは、青成分光Ｂ）を変調する第２光変調素子の一例である。
【００４２】
合成部８０は、液晶パネル７１Ｇから出射される光及び液晶パネル７１ＲＢから出射される光を合成する。例えば、合成部８０は、液晶パネル７１Ｇから出射される光を反射して、液晶パネル７１ＲＢから出射される光を透過するダイクロイックプリズムである。なお、合成部８０は、液晶パネル７１Ｇから出射される光を反射して、液晶パネル７１ＲＢから出射される光を透過するダイクロイックミラーであってもよい。
【００４３】
或いは、合成部８０は、液晶パネル７１Ｇから出射される光を反射して、液晶パネル７１ＲＢから出射される光を透過するＰＢＳプリズムやＰＢＳミラーであってもよい。このようなケースでは、液晶パネル７１Ｇから出射される光の偏光は、液晶パネル７１ＲＢから出射される光の偏光と異なることに留意すべきである。
【００４４】
投写レンズユニット９０は、合成部８０から出射される光（映像光）を投写面（不図示）上などに投写する。
【００４５】
なお、第１実施形態において、光源１０Ｂ、光源１０Ｒ、励起光源１０Ｘ、ミラー１２Ｘ、ミラー２０Ｇ、ミラー２０ＲＢ及びカラーホイール３０は、第１色成分光、第２色成分光及び第３色成分光を出射する光源ユニットを構成する。
【００４６】
また、光源１０、偏光調整素子６０、液晶パネル７１は、照明装置を構成してもよい。照明装置は、これらの素子以外にも、カラーホイール３０、フライアイレンズ４０、ＰＢＳアレイ５０や合成部８０などを含んでもよい。
【００４７】
（各色成分光の波長帯）
以下において、第１実施形態に係る各色成分光の波長帯について説明する。図４は、第１実施形態に係る各色成分光の波長帯を示す図である。
【００４８】
ここで、Ｒ＿ＬＥＤは、光源１０Ｒから出射される赤成分光Ｒの波長帯を示している。Ｂ＿ＬＥＤは、光源１０Ｂから出射される青成分光Ｂが有する帯域幅を示している。Ｇ＿ＬＥＤは、一般的なＬＥＤから出射される緑成分光Ｇが有する波長帯を示している。Ｇ＿Ｐｈｏｓｐｈｅｒは、発光体Ｇ（ここでは、蛍光体）から発光される緑成分光Ｇが有する帯域幅を示している。
【００４９】
このように、発光体Ｇから発光される緑成分光Ｇが有する帯域幅は、一般的な固体光源から出射される光が有する波長帯よりも広い。言い換えると、Ｇ＿Ｐｈｏｓｐｈｅｒは、Ｒ＿ＬＥＤ、Ｇ＿ＬＥＤ又はＢ＿ＬＥＤよりも広い。
【００５０】
ここで、上述した偏光調整素子６０は、図４に示すように、偏光調整素子６０に電圧が印加された状態（ＶＯＮ）において、Ｇ＿ＬＥＤと略等しい波長帯を有する中心偏光成分が入射側偏光板７２を透過して液晶パネル７１に導かれるように、周辺成分光の偏光を調整する。一方で、偏光調整素子６０は、偏光調整素子６０に電圧が印加された状態（ＶＯＦＦ）において、中心偏光成分及び周辺成分光（Ｇ＿Ｐｈｏｓｐｈｅｒ）が入射側偏光板７２を透過して液晶パネル７１に導かれるように、周辺成分光の偏光を調整する。
【００５１】
なお、図４に示す“ＶＯＮ”及び“ＶＯＦＦ”は、偏光調整素子６０から出射される光のうち、入射側偏光板７２を透過する第１偏光成分の量を示している。すなわち、“ＶＯＮ”及び“ＶＯＦＦ”については、図４の縦軸は、偏光調整素子６０から出射される第１偏光成分の量を示している。
【００５２】
（制御ユニットの構成）
以下において、第１実施形態に係る制御ユニットについて、図面を参照しながら説明する。図５は、第１実施形態に係る制御ユニット２００を示すブロック図である。制御ユニット２００は、投写型映像表示装置１００に設けられており、投写型映像表示装置１００を制御する。
【００５３】
なお、制御ユニット２００は、映像入力信号を映像出力信号に変換する。映像入力信号は、赤入力信号Ｒｉｎ、緑入力信号Ｇｉｎ及び青入力信号Ｂｉｎによって構成される。映像出力信号は、赤出力信号Ｒｏｕｔ、緑出力信号Ｇｏｕｔ及び青出力信号Ｂｏｕｔによって構成される。映像入力信号及び映像出力信号は、１フレームを構成する画素毎に入力される信号である。
【００５４】
図５に示すように、制御ユニット２００は、映像信号受付部２１０と、制御部２２０とを有する。
【００５５】
映像信号受付部２１０は、パーソナルコンピュータ、ＤＶＤなどの外部装置から映像入力信号を受付ける。
【００５６】
制御部２２０は、光源１０、偏光調整素子６０及び液晶パネル７１に接続されており、光源１０、偏光調整素子６０及び液晶パネル７１を制御する。
【００５７】
第１に、制御部２２０は、偏光調整素子６０に印加する電圧を制御することによって、液晶パネル７１Ｇに導かれる光を制御する。詳細には、制御部２２０は、偏光調整素子６０に電圧を印加することによって、周辺成分光が液晶パネル７１Ｇに導かれないように、偏光調整素子６０を制御する。すなわち、制御部２２０は、偏光調整素子６０に電圧を印加することによって、中心成分光のみが液晶パネル７１Ｇに導かれるように、偏光調整素子６０を制御する。一方で、制御部２２０は、偏光調整素子６０に電圧を印加しないことによって、周辺成分光が液晶パネル７１Ｇに導かれるように、偏光調整素子６０を制御する。すなわち、制御部２２０は、偏光調整素子６０に電圧を印加しないことによって、中心成分光及び周辺成分光（発光体Ｇから発光される緑成分光Ｇの全て）が液晶パネル７１Ｇに導かれるように、偏光調整素子６０を制御する。
【００５８】
このように、周辺成分光が液晶パネル７１Ｇに導かれるか否かを制御することによって、図６に示すように、色再現範囲を変更することができる。具体的には、周辺成分光が液晶パネル７１Ｇに導かれる場合には、Ｒ−Ｇ１−Ｂによって色再現範囲が表される。色再現範囲が狭まるが、映像の輝度を向上することができる。一方で、周辺成分光が液晶パネル７１Ｇに導かれない場合には、Ｒ−Ｇ２−Ｂによって色再現範囲が表される。映像の輝度が低下するが、色再現範囲が広がる。
【００５９】
第２に、制御部２２０は、映像入力信号を映像出力信号に変換して、映像出力信号に基づいて、液晶パネル７１を制御する。具体的には、制御部２２０は、緑出力信号Ｇｏｕｔに基づいて、液晶パネル７１Ｇを制御する。一方で、制御部２２０は、赤出力信号Ｒｏｕｔに基づいて液晶パネル７１ＲＢを制御し、青出力信号Ｂｏｕｔに基づいて液晶パネル７１ＲＢを制御する。
【００６０】
なお、制御部２２０は、赤出力信号Ｒｏｕｔ及び青出力信号Ｂｏｕｔに基づいて、液晶パネル７１ＲＢを時分割で制御する。例えば、１つのフレームが２つのサブフレームによって構成される場合には、制御部２２０は、一方のサブフレームにおいて、赤出力信号Ｒｏｕｔに基づいて液晶パネル７１ＲＢを制御し、他方のサブフレームにおいて、青出力信号Ｂｏｕｔに基づいて、液晶パネル７１ＲＢを制御する。
【００６１】
第３に、制御部２２０は、光源１０の発光期間を制御する。具体的には、制御部２２０は、緑出力信号Ｇｏｕｔに基づいて液晶パネル７１Ｇを制御すべき期間において、励起光源１０Ｘから励起光が出射されるように励起光源１０Ｘを制御する。制御部２２０は、赤出力信号Ｒｏｕｔに基づいて液晶パネル７１ＲＢを制御すべき期間において、光源１０Ｒから赤成分光Ｒが出射されるように光源１０Ｒを制御する。制御部２２０は、青出力信号Ｂｏｕｔに基づいて液晶パネル７１ＲＢを制御すべき期間において、光源１０Ｂから青成分光Ｂが出射されるように光源１０Ｂを制御する。
【００６２】
なお、制御部２２０は、光源１０から出射される光量を制御してもよい。例えば、制御部２２０は、基準光量よりも出射光量が増大するように、光源１０から出射される光量を制御してもよい。
【００６３】
（作用及び効果）
第１実施形態では、偏光調整素子６０は、  液晶パネル７１Ｇに到達する周辺成分光の量を調整する。言い換えると、周辺成分光を液晶パネル７１Ｇに到達させることによって、色再現範囲が縮小するが、映像の輝度を向上することができる。一方で、周辺成分光を液晶パネル７１Ｇに到達させないことによって、映像の輝度が低下するが、色再現範囲が拡大する。
【００６４】
このように、液晶パネル７１Ｇに到達する周辺成分光の光量調整によって、映像の輝度を優先するモードと色再現範囲を優先するモードとを使い分けることができる。これによって、色再現範囲の縮小を抑制しながら、他の色成分光と比べて光量が小さい色成分光の光量を増大することができる。
【００６５】
［変更例１］
以下において、第１実施形態の変更例１について説明する。以下においては、第１実施形態に対する相違点について主として説明する。
【００６６】
変更例１では、各色成分光の光量の制御例について説明する。ここで、変更例１においては、光源１０から出射される光量を制御部２２０が制御することによって、様々な制御が行われることに留意すべきである。
【００６７】
（制御例１）
以下において、変更例１に係る制御例１について、図７を参照しながら説明する。図７は、変更例１に係る制御例１を説明するための図である。なお、図７では、合成部８０に導かれる光量（すなわち、投写型映像表示装置１００から出射される映像光の光量）が示されていることに留意すべきである。
【００６８】
図７の上段に示すように、通常モードにおいては、第１色成分光（ここでは、緑成分光Ｇ）の光量は、２つのサブフレームにおいて均等に分配される。
【００６９】
これに対して、図７の下段に示すように、特定モードにおいては、第１色成分光（ここでは、緑成分光Ｇ）の光量は、２つのサブフレームのそれぞれにおいて異なる。
【００７０】
詳細には、制御部２２０は、１つのフレームにおける総光量が変化しないように、２つのサブフレームのうち、いずれか一方のサブフレームに、緑成分光Ｇの光量が偏るように、液晶パネル７１Ｇを制御する。なお、１つのフレームにおける総光量は、緑入力信号Ｇｉｎに基づいて定まることに留意すべきである。
【００７１】
すなわち、第１光変調素子（ここでは、液晶パネル７１Ｇ）は、第１信号値（ここでは、緑入力信号Ｇｉｎ）に基づいて、２つのサブフレームのそれぞれにおいて投写型映像表示装置１００から出射される第１色成分光（ここでは、緑成分光Ｇ）の光量が変化するように、第１色成分光を変調する。
【００７２】
例えば、緑入力信号Ｇｉｎが“１５３／２５５≒６０％”である場合には、１フレーム全体において、６０％の緑成分光Ｇが出力されればよい。このようなケースにおいて、制御部２２０は、一方のサブフレームにおいて、１００％の緑成分光Ｇが出力されるように液晶パネル７１Ｇを制御する。また、制御部２２０は、他方のサブフレームにおいて、２０％の緑成分光Ｇが出力されるように液晶パネル７１Ｇを制御する。
【００７３】
このように、２つのサブフレームのうち、一方のサブフレームの輝度を低下させることによって、黒挿入のような動ボケ改善効果が得られる。
【００７４】
（制御例２）
以下において、変更例１に係る制御例２について、図８を参照しながら説明する。図８は、変更例１に係る制御例２を説明するための図である。なお、図８では、合成部８０に導かれる光量（すなわち、投写型映像表示装置１００から出射される映像光の光量）が示されていることに留意すべきである。
【００７５】
図８の上段に示すように、通常モードにおいては、第１色成分光（ここでは、緑成分光Ｇ）の光量は、２つのサブフレームにおいて均等に分配される。
【００７６】
これに対して、図８の下段に示すように、特定モードにおいては、第１色成分光（ここでは、緑成分光Ｇ）の光量は、２つのサブフレームのそれぞれにおいて異なる。
【００７７】
詳細には、制御部２２０は、１つのフレームにおける総光量が変化しないように、赤入力信号Ｒｉｎと青入力信号Ｂｉｎとの比率に基づいて、緑成分光Ｇの光量が２つのサブフレームに分配されるように、液晶パネル７１Ｇを制御する。なお、１つのフレームにおける総光量は、緑入力信号Ｇｉｎに基づいて定まることに留意すべきである。
【００７８】
すなわち、第１光変調素子（ここでは、液晶パネル７１Ｇ）は、第２信号値（ここでは、赤入力信号Ｒｉｎ）及び第３信号値（ここでは、青入力信号Ｂｉｎ）の比率に基づいて、２つのサブフレームのそれぞれにおいて投写型映像表示装置１００から出射される第１色成分光（ここでは、緑成分光Ｇ）の光量が変化するように、第１色成分光を変調する。
【００７９】
例えば、緑入力信号Ｇｉｎが“１５３／２５５≒６０％”であり、赤入力信号Ｒｉｎが“２０４／２５５≒８０％”であり、青入力信号Ｂｉｎが“５１／２５５≒２０％”である場合には、１フレーム全体において、６０％の緑成分光Ｇが出力されればよい。このようなケースにおいて、制御部２２０は、赤成分光Ｒが出力されるサブフレーム（すなわち、赤入力信号Ｒｉｎに基づいて制御されるサブフレーム）において、９６％の緑成分光Ｇが出力されるように液晶パネル７１Ｇを制御する。また、制御部２２０は、青成分光Ｂが出力されるサブフレーム（すなわち、青入力信号Ｂｉｎに基づいて制御されるサブフレーム）において、２４％の緑成分光Ｇが出力されるように液晶パネル７１Ｇを制御する。
【００８０】
これによって、１つのサブフレームにおいて、緑成分光Ｇが赤成分光Ｒ（或いは、青成分光Ｂ）よりも著しく大きいことに起因するカラーブレイクが抑制される。
【００８１】
（制御例３）
以下において、変更例１に係る制御例３について、図９を参照しながら説明する。図９は、変更例１に係る制御例３を説明するための図である。なお、図９では、合成部８０に導かれる光量（すなわち、投写型映像表示装置１００から出射される映像光の光量）が示されていることに留意すべきである。
【００８２】
図９の上段に示すように、通常モードにおいては、第１色成分光（ここでは、緑成分光Ｇ）の光量は、２つのサブフレームにおいて均等に分配される。
【００８３】
これに対して、図９の下段に示すように、特定モードにおいては、一方のサブフレームにおいて、オリジナル映像が出力され、他方のサブフレームにおいて、補間フレームが出力される。なお、オリジナル映像は、外部装置から入力されるオリジナル信号に基づいて表示される映像であり、補間映像は、オリジナル信号に基づいて生成される補間信号に基づいて表示される映像である。補間映像の生成方法は任意である。
【００８４】
詳細には、制御部２２０は、一方のサブフレームにおいて、オリジナル信号に基づいて液晶パネル７１Ｇを制御する。また、制御部２２０は、他方のサブフレームにおいて、補間信号に基づいて液晶パネル７１Ｇを制御する。
【００８５】
すなわち、第１光変調素子（ここでは、液晶パネル７１Ｇ）は、一方のサブフレームにおいて、オリジナル信号値に基づいて第１色成分光（ここでは、緑成分光Ｇ）を変調し、他方のサブフレームにおいて、補間信号値に基づいて第１色成分光（ここでは、緑成分光Ｇ）を変調する。
【００８６】
このように、２つのサブフレームのいずれかにおいて補間映像が出力されるため、動ボケ改善効果が得られる。
【００８７】
［変更例２］
以下において、第１実施形態の変更例２について、図面を参照しながら説明する。以下においては、第１実施形態に対する相違点について主として説明する。
【００８８】
以下においては、液晶パネル７１の駆動周波数が１２０Ｈｚであるケースを例示する。また、１つのフレームは、２つのサブフレームによって構成される。また、液晶パネル７１は、サブフレーム間の混色を避けるために、上述した制御部２２０は、映像出力信号に応じて映像データをフレームバッファに書き込む期間（すなわち、サブフレームの切替え）において、液晶パネル７１に光が照射されないように、光源１０を制御する。或いは、制御部２２０は、サブフレームの切替えにおいて、液晶パネル７１（特に、液晶パネル７１ＲＢ）から光が出射されないように液晶パネル７１を制御してもよい。
【００８９】
なお、赤出力信号Ｒｏｕｔに基づいて液晶パネル７１ＲＢを制御すべき期間において、青成分光Ｂが液晶パネル７１ＲＢから出射されると、サブフレーム間の混色が生じる。同様に、青出力信号Ｂｏｕｔに基づいて液晶パネル７１ＲＢを制御すべき期間において、赤成分光Ｒが液晶パネル７１ＲＢから出射されると、サブフレーム間の混色が生じる。
【００９０】
変更例２において、制御部２２０は、第１光変調素子（液晶パネル７１Ｇ）から出射される第１色成分光（緑成分光Ｇ）の光量、第２光変調素子（液晶パネル７１ＲＢ）から出射される第２色成分光（赤成分光Ｒ）の光量及び第２光変調素子（液晶パネル７１ＲＢ）から出射される第３色成分光（青成分光Ｂ）の光量を制御する光量制御部を構成する。
【００９１】
（通常制御例）
以下において、通常制御例について図１０〜図１２を参照しながら説明する。第１に、図１０に示すように、制御部２２０は、サブフレームの切替えにおいて、液晶パネル７１Ｇ及び液晶パネル７１ＲＢから光が出射されない期間（黒表示期間）を設ける。言い換えると、制御部２２０は、映像出力信号に応じて映像データをフレームバッファに書き込む期間において、液晶パネル７１Ｇ及び液晶パネル７１ＲＢから光が出射されないように、光源１０（光源１０Ｒ、光源１０Ｂ及び励起光源１０Ｘ）を制御する。或いは、制御部２２０は、映像出力信号に応じて映像データをフレームバッファに書き込む期間において、液晶パネル７１Ｇ及び液晶パネル７１ＲＢに光が照射されないように、液晶パネル７１Ｇ及び液晶パネル７１ＲＢを制御してもよい。
【００９２】
ここで、緑成分光Ｇについては、サブフレーム間の混色が生じないため、図１１に示すように、液晶パネル７１Ｇに緑成分光Ｇが常に出射されてもよい。しかしながら、赤成分光Ｒ及び青成分光Ｂの光量に比べて、緑成分光Ｇの光量が大き過ぎる。
【００９３】
従って、図１２に示すように、液晶パネル７１Ｇから緑成分光Ｇが出射される期間は、液晶パネル７１ＲＢから赤成分光Ｒ及び青成分光Ｂが出射される期間に応じて定められる。このように、通常制御例では、赤成分光Ｒ及び青成分光Ｂの光量が制約条件となってしまい、十分な高輝度化を図ることができない。
【００９４】
（高輝度制御例１）
以下において、変更例２に係る高輝度制御例１について図１３〜図１５を参照しながら説明する。
【００９５】
第１に、制御部２２０は、映像入力信号に基づいて、フレームで表示すべき映像の色度を算出する。続いて、制御部２２０は、赤及び青を結ぶライン上において色再現範囲を縮小可能であるか否かを判定する。例えば、制御部２２０は、フレームで表示すべき映像において、赤或いは青の彩度の代表値が閾値以下である場合に、赤及び青を結ぶライン上において色再現範囲を縮小可能であると判定する。彩度の代表値としては、フレームで表示すべき映像に含まれる彩度の最大値又は平均値を用いることが可能である。
【００９６】
制御部２２０は、赤及び青を結ぶライン上において赤側の色再現範囲を縮小可能であると判定した場合には、図１４に示すように、赤出力信号Ｒｏｕｔに基づいて液晶パネル７１ＲＢを制御すべき期間において、赤成分光Ｒに加えて青成分光Ｂが液晶パネル７１ＲＢから出射されるように、光源１０（光源１０Ｒ及び光源１０Ｂ）を制御する。すなわち、制御部２２０は、赤出力信号Ｒｏｕｔに基づいて液晶パネル７１ＲＢを制御すべき期間において、青成分光Ｂに含まれる第１偏光成分（図１４に示すＢ１（例えば、２０％））が増大するように光源１０（光源１０Ｒ及び光源１０Ｂ）を制御する。
【００９７】
同様に、制御部２２０は、赤及び青を結ぶライン上において青側の色再現範囲を縮小可能であると判定した場合には、図１４に示すように、青出力信号Ｂｏｕｔに基づいて液晶パネル７１ＲＢを制御すべき期間において、青成分光Ｂに加えて赤成分光Ｒが液晶パネル７１ＲＢから出射されるように、光源１０（光源１０Ｒ及び光源１０Ｂ）を制御する。すなわち、制御部２２０は、青出力信号Ｂｏｕｔに基づいて液晶パネル７１ＲＢを制御すべき期間において、赤成分光Ｒに含まれる第１偏光成分（図１４に示すＲ１（例えば、２０％））が増大するように光源１０（光源１０Ｒ及び光源１０Ｂ）を制御する。
【００９８】
さらに、制御部２２０は、図１５に示すように、図１３に対して追加された赤成分光Ｒ及び青成分光Ｂの光量（図１５に示すＲ１（例えば、２０％）及びＢ１（例えば、２０％））に応じて、液晶パネル７１Ｇから出射される緑成分光Ｇの光量（図１５に示すＧ１（例えば、２０％＋２０％＝４０％））を増大する。これによって、赤成分光Ｒ、緑成分光Ｇ及び青成分光Ｂの光量バランスが維持される。
【００９９】
ここで、図１３に対して追加された赤成分光Ｒの光量Ｒ１は、図１３に対して追加された青成分光Ｂの光量Ｂ１と同様であることが好ましい。また、緑成分光Ｇの光量Ｇ１は、図１３に対して追加された赤成分光Ｒの光量Ｒ１及び青成分光Ｂの光量Ｂ１に応じて決定されることが好ましい。
【０１００】
なお、制御部２２０は、例えば、液晶パネル７１Ｇから緑成分光Ｇが出射される期間を増大する。すなわち、制御部２２０は、励起光源１０Ｘから励起光が出射される期間を増大するように励起光源１０Ｘを制御する。なお、図１３は、上述した図１２と同様であることに留意すべきである。
【０１０１】
このように、高輝度制御例１では、赤成分光Ｒ及び青成分光Ｂの光量（図１５に示すＲ１及びＢ１）の追加によって、図１６に示すように、色再現範囲がマゼンタ方向に縮小するが、赤成分光Ｒ、緑成分光Ｇ及び青成分光Ｂの光量（図１５に示すＲ１、Ｇ１、及びＢ１）の追加によって、映像の高輝度化を図ることができる。
【０１０２】
（高輝度制御例２）
以下において、変更例２に係る高輝度制御例２について図１７〜図１９を参照しながら説明する。
【０１０３】
第１に、制御部２２０は、映像入力信号に基づいて、フレームで表示すべき映像の色度を算出する。続いて、制御部２２０は、赤及び青を結ぶライン上の各色について緑側に色再現範囲を縮小可能であるか否かを判定する。例えば、制御部２２０は、フレームで表示すべき映像において、赤及び青を結ぶライン上の各色の彩度の代表値が閾値以下である場合に、色再現範囲を縮小可能であると判定する。彩度の代表値としては、フレームで表示すべき映像に含まれる彩度の最大値又は平均値を用いることが可能である。
【０１０４】
制御部２２０は、赤側の色再現範囲を縮小可能であると判定した場合には、図１８に示すように、赤出力信号Ｒｏｕｔに基づいて液晶パネル７１ＲＢを制御すべき期間において、赤成分光Ｒに加えて青成分光Ｂが液晶パネル７１ＲＢから出射されるように、光源１０（光源１０Ｒ及び光源１０Ｂ）を制御する。すなわち、制御部２２０は、赤出力信号Ｒｏｕｔに基づいて液晶パネル７１ＲＢを制御すべき期間において、青成分光Ｂに含まれる第１偏光成分（図１８に示すＢ１（例えば、２０％））が増大するように光源１０（光源１０Ｒ及び光源１０Ｂ）を制御する。
【０１０５】
同様に、制御部２２０は、青側の色再現範囲を縮小可能であると判定した場合には、図１８に示すように、青出力信号Ｂｏｕｔに基づいて液晶パネル７１ＲＢを制御すべき期間において、青成分光Ｂに加えて赤成分光Ｒが液晶パネル７１ＲＢから出射されるように、光源１０（光源１０Ｒ及び光源１０Ｂ）を制御する。すなわち、制御部２２０は、青出力信号Ｂｏｕｔに基づいて液晶パネル７１ＲＢを制御すべき期間において、赤成分光Ｒに含まれる第１偏光成分（図１８に示すＲ１（例えば、２０％））が増大するように光源１０（光源１０Ｒ及び光源１０Ｂ）を制御する。
【０１０６】
高輝度制御例２では、制御部２２０は、図１８に示すように、図１７に対して追加された赤成分光Ｒ及び青成分光Ｂの光量（図１８に示すＲ１及びＢ１）に応じて、液晶パネル７１Ｇから出射される緑成分光Ｇの光量（図１８に示すＧ２及びＧ３）を増大する。
【０１０７】
具体的には、制御部２２０は、赤側において緑側に縮小可能な色再現範囲に応じて、赤出力信号Ｒｏｕｔに基づいて液晶パネル７１ＲＢを制御すべき期間において、液晶パネル７１Ｇから出射される緑成分光Ｇの光量（図１８に示すＧ２（例えば、２０％））を増大する。同様に、制御部２２０は、青側において緑側に縮小可能な色再現範囲に応じて、青出力信号Ｂｏｕｔに基づいて液晶パネル７１ＲＢを制御すべき期間において、液晶パネル７１Ｇから出射される緑成分光Ｇの光量（図１８に示すＧ３（例えば、４０％））を増大する。
【０１０８】
さらに、制御部２２０は、図１９に示すように、図１７に対して追加された赤成分光Ｒ及び青成分光Ｂの光量（図１９に示すＲ１（例えば、２０％）及びＢ１（例えば、２０％））に応じて、液晶パネル７１Ｇから出射される緑成分光Ｇの光量（図１９に示すＧ１（例えば、２０％＋２０％＝４０％））を増大する。これによって、赤成分光Ｒ、緑成分光Ｇ及び青成分光Ｂの光量バランスが維持される。
【０１０９】
ここで、図１７に対して追加された赤成分光Ｒの光量Ｒ１は、図１７に対して追加された青成分光Ｂの光量Ｂ１と同様であることが好ましい。また、緑成分光Ｇの光量Ｇ１は、図１７に対して追加された赤成分光Ｒの光量Ｒ１及び青成分光Ｂの光量Ｂ１に応じて決定されることが好ましい。
【０１１０】
このように、高輝度制御例２では、赤成分光Ｒ、緑成分光Ｇ及び青成分光Ｂの光量（図１９に示すＲ１、Ｇ２、Ｇ３及びＢ１）の追加によって、図２０に示すように、色再現範囲がマゼンタ方向及び緑方向に縮小するが、赤成分光Ｒ、緑成分光Ｇ及び青成分光Ｂの光量（図１９に示すＲ１、Ｇ１、Ｇ２、Ｇ３及びＢ１）の追加によって、映像の高輝度化を図ることができる。
【０１１１】
［変更例３］
以下において、第１実施形態の変更例３について、図面を参照しながら説明する。以下においては、変更例２に対する相違点について主として説明する。
【０１１２】
変更例２では、制御部２２０は、光源１０（光源１０Ｒ及び光源１０Ｂ）の制御によって、赤成分光Ｒ及び青成分光Ｂの光量（Ｒ１及びＢ１）を追加する。また、制御部２２０は、液晶パネル７１Ｇから緑成分光Ｇが出射される期間の増大によって、すなわち、励起光源１０Ｘから励起光が出射される期間の増大によって、緑成分光Ｇの光量（Ｇ１、Ｇ１’及びＧ１’’）を追加する。
【０１１３】
これに対して、変更例３では、制御部２２０は、図２１に示すように、γカーブの補正によって、赤成分光Ｒ、緑成分光Ｇ及び青成分光Ｂの光量を追加する。なお、γカーブは、映像入力信号と映像出力信号との対応関係を示すカーブであり、映像入力信号を映像出力信号に変換するために用いられる。
【０１１４】
詳細には、赤成分光Ｒの追加光量（Ｒ１）が青成分光Ｂの追加光量（Ｂ１）と異なるケースが考えられる。このようなケースでは、赤出力信号Ｒｏｕｔに基づいて液晶パネル７１ＲＢを制御すべき期間において液晶パネル７１ＲＢから出射される光量が青出力信号Ｂｏｕｔに基づいて液晶パネル７１ＲＢを制御すべき期間において液晶パネル７１ＲＢから出射される光量と異なる。従って、このようなアンバランスを解消するために、γカーブの補正によって、サブフレーム間の光量のバランスをとることが可能である。
【０１１５】
例えば、青成分光Ｂの光量（Ｂ１）が２０％であり、赤成分光Ｒの追加光量（Ｒ１）が０％であるケースでは、赤出力信号Ｒｏｕｔに基づいて液晶パネル７１ＲＢを制御すべき期間において液晶パネル７１ＲＢから出射される光量は増大するが、青出力信号Ｂｏｕｔに基づいて液晶パネル７１ＲＢを制御すべき期間において液晶パネル７１ＲＢから出射される光量は増大しない。従って、青出力信号Ｂｏｕｔに基づいて液晶パネル７１ＲＢを制御すべき期間において、制御部２２０は、γカーブを補正して、サブフレーム間の光量のバランスを取る。
【０１１６】
［変更例４］
以下において、第１実施形態の変更例４について、図面を参照しながら説明する。以下においては、第１実施形態に対する相違点について主として説明する。
【０１１７】
第１実施形態では、緑成分光Ｇは、発光体から発光される。これに対して、変更例４では、緑成分光Ｇは、固体光源から出射される。
【０１１８】
（投写型映像表示装置の構成）
以下において、変更例４に係る投写型映像表示装置の構成について、図面を参照しながら説明する。図２２は、変更例４に係る投写型映像表示装置１００の構成を示す図である。なお、図２２では、図１と同様の構成について同様の符号を付していることに留意すべきである。
【０１１９】
図２２に示すように、投写型映像表示装置１００は、励起光源１０Ｘ、ミラー１２Ｘ、ミラー２０Ｇ、カラーホイール３０などに替えて、光源１０Ｇを有する。
【０１２０】
光源１０Ｇは、緑成分光Ｇを出射する固体光源（ここでは、ＬＥＤ）である。なお、光源１０Ｇから出射される緑成分光Ｇが有する帯域幅は、第１実施形態と同様に、光源１０Ｒから出射される赤成分光Ｒが有する帯域幅或いは光源１０Ｂから出射される青成分光Ｂが有する帯域幅よりも広いことに留意すべきである。
【０１２１】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１２２】
実施形態では特に触れていないが、単色の色成分光を変調する液晶パネル７１Ｇの駆動周波数（例えば、６０Ｈｚ）は、複数色の色成分光を変調する液晶パネル７１ＲＢの駆動周波数（例えば、１２０Ｈｚ）よりも低くてもよい。
【０１２３】
実施形態では特に触れていないが、単色の色成分光を変調する液晶パネル７１Ｇの解像度は、複数色の色成分光を変調する液晶パネル７１ＲＢの解像度よりも低くてもよい。なお、液晶パネル７１Ｇは、２つのサブフレームにおいて緑成分光Ｇを変調するため、例えば、制御例３のように、補間映像の表示によって、低解像度を補うことが可能である。
【０１２４】
実施形態では特に触れていないが、制御例１〜制御例３は、映像入力信号に基づいて切り替えられてもよい。例えば、映像入力信号に基づいて特定される動きベクトルに基づいて、制御例１〜制御例３の中から適切な制御例が選択される。或いは、映像入力信号に基づいて特定される映像の色バランスに基づいて、制御例１〜制御例３の中から適切な制御例が選択される。
【符号の説明】
【０１２５】
１０…光源、２０…ミラー、３０…カラーホイール、３１…回転面、３２Ｇ…緑領域、４０…フライアイレンズ、５０…ＰＢＳアレイ、６０…偏光調整素子、７１…液晶パネル、７２…入射側偏光板、７３…出射側偏光板、８０…合成部、９０…投写レンズユニット、１００…投写型映像表示装置、１１１〜１１４…レンズ、２００…制御ユニット、２１０…映像信号受付部、２２０…制御部
【図１】
2013076870.tif 000003
【図２】
2013076870.tif 000004
【図３】
2013076870.tif 000005
【図４】
2013076870.tif 000006
【図５】
2013076870.tif 000007
【図６】
2013076870.tif 000008
【図７】
2013076870.tif 000009
【図８】
2013076870.tif 000010
【図９】
2013076870.tif 000011
【図１０】
2013076870.tif 000012
【図１１】
2013076870.tif 000013
【図１２】
2013076870.tif 000014
【図１３】
2013076870.tif 000015
【図１４】
2013076870.tif 000016
【図１５】
2013076870.tif 000017
【図１６】
2013076870.tif 000018
【図１７】
2013076870.tif 000019
【図１８】
2013076870.tif 000020
【図１９】
2013076870.tif 000021
【図２０】
2013076870.tif 000022
【図２１】
2013076870.tif 000023
【図２２】
2013076870.tif 000024